(57)【要約】【課題】雌雄の双方のハウジングを嵌合する際に必ず傾き規制ができて、スムーズに嵌合することができるコネクタを提供する。【解決手段】雌雄の双方のハウジング２１，３１を嵌合・離脱させるコネクタ１０であって、フード部２３と嵌合状態をロックする被ロック部を設けた相手方のハウジング２１と、相手方のハウジング２１のフード部２３に嵌合・離脱され、その嵌合状態をロックするロック部３４を設けたハウジング３１と、を備え、双方のハウジング２１，３１のいずれか一方のハウジング３１に、嵌合方向に沿って斜面部３５ａと平坦部３５ｂとを順に有したガタ詰めリブ３５を設け、双方のハウジング２１，３１の嵌合する際の当たり初めがガタ詰めリブ３５の斜面部３５ａ、ロック部３４、ガタ詰めリブ３５の平坦部３５ｂの順となるようにガタ詰めリブ３５の斜面部３５ａの位置及び長さを設定した。【選択図】図１
2019139988.tif 000002
【特許請求の範囲】
【請求項１】
フード部と嵌合状態をロックする被ロック部を設けた相手方のハウジングと、
前記相手方のハウジングのフード部に嵌合・離脱され、その嵌合状態をロックするロック部を設けたハウジングとを備え、
前記双方のハウジングのいずれか一方のハウジングに、嵌合方向に沿って斜面部と平坦部とを順に有したガタ詰めリブを設け、
前記双方のハウジングの嵌合する際の当たり初めが前記ガタ詰めリブの斜面部、前記ロック部、前記ガタ詰めリブの平坦部の順となるように前記ガタ詰めリブ及び前記ロック部の位置及び長さを設定したことを特徴とするコネクタ。
【請求項２】
請求項１記載のコネクタであって、
前記双方のハウジングのいずれか一方のハウジングの嵌合方向の前端から離れた位置に前記ガタ詰めリブを設けたことを特徴とするコネクタ。
【請求項３】
請求項１または２記載のコネクタであって、
前記双方のハウジングのいずれか一方のハウジングの両側面に前記ガタ詰めリブを少なくとも上下一対設けたことを特徴とするコネクタ。
【請求項４】
請求項１〜３のいずれか１項に記載のコネクタであって、
前記双方のハウジングのいずれか一方のハウジングの前記ガタ詰めリブの平坦部が他方のハウジングに当たった後で、前記双方のハウジングの各端子同士が当たるようにしたことを特徴とするコネクタ。
【発明の詳細な説明】
【技術分野】
【０００１】
本発明は、雌雄の双方のハウジングを嵌合・離脱させるコネクタに関する。
【背景技術】
【０００２】
この種のコネクタとして、特許文献１に開示されたものがある。
【０００３】
このコネクタ１は、図１０に示すように、筒状のフード部４を形成した合成樹脂製の雄ハウジング３を有する雄コネクタ２と、この雄ハウジング３のフード部４内に嵌合・離脱され、雌端子Ｂが収容される端子保持部７に保持キャップ９を装着した合成樹脂製の雌ハウジング６を有する雌コネクタ５と、を備えている。尚、図１０中符号Ａは、雄コネクタ２の雄端子を示す。
【０００４】
そして、雄雌の双方のハウジング３，６が嵌合されると、雄ハウジング３のフード部４内に保持キャップ９が装着された雌ハウジング６の端子保持部７が挿入され、同時に、フード部４内の外周側に雌ハウジング６の端子保持部７の外方に形成された筒状のカバー部８が嵌合する。この際、保持キャップ９の前端外周面に突設したガタ詰めリブ９ａと、筒状のカバー部８の後端内周面に突設したガタ詰めリブ８ａが共に雄ハウジング３のフード部４に当接することにより、雄雌の双方のハウジング３，６間の半径方向のガタ付き（傾き）が低減されるようになっている。
【先行技術文献】
【特許文献】
【０００５】
【特許文献１】特開２００７−８０７３７号公報
【発明の概要】
【発明が解決しようとする課題】
【０００６】
しかしながら、前記従来のコネクタ１では、標準間口のように雄ハウジング３の雄開口であるフード部４の公差が大きい場合、カバー部８の後端内周面のガタ詰めリブ８ａと保持キャップ９の前端外周面のガタ詰めリブ９ａが機能せず、傾き（ガタ付き）を抑制することができなかった。
【０００７】
そこで、本発明は、前記した課題を解決すべくなされたものであり、雌雄の双方のハウジングを嵌合する際に必ず傾き規制ができて、スムーズに嵌合することができるコネクタを提供することを目的とする。
【課題を解決するための手段】
【０００８】
本発明は、雌雄の双方のハウジングを嵌合・離脱させるコネクタであって、フード部と嵌合状態をロックする被ロック部を設けた相手方のハウジングと、前記相手方のハウジングのフード部に嵌合・離脱され、その嵌合状態をロックするロック部を設けたハウジングとを備え、前記双方のハウジングのいずれか一方のハウジングに、嵌合方向に沿って斜面部と平坦部とを順に有したガタ詰めリブを設け、前記双方のハウジングの嵌合する際の当たり初めが前記ガタ詰めリブの斜面部、前記ロック部、前記ガタ詰めリブの平坦部の順となるように前記ガタ詰めリブ及び前記ロック部の位置及び長さを設定したことを特徴とする。
【発明の効果】
【０００９】
本発明によれば、雌雄の双方のハウジングを嵌合する際に必ず傾き規制ができて、スムーズに嵌合することができる。
【図面の簡単な説明】
【００１０】
【図１】本発明の一実施形態のコネクタの分解斜視図である。
【図２】上記コネクタの嵌合前の正面図である。
【図３】上記コネクタの嵌合前の側面図である。
【図４】（ａ）は図２中Ａ−Ａ線に沿う断面図、（ｂ）は図３中Ｂ−Ｂ線に沿う断面図である。
【図５】（ａ）は上記コネクタのガタ詰めリブの当たり初めの状態を示す図２中Ａ−Ａ線に沿う断面図、（ｂ）は同ガタ詰めリブの当たり初めの状態を示す図３中Ｂ−Ｂ線に沿う断面図である。
【図６】（ａ）は上記コネクタのロック部の当たり初めの状態を示す図２中Ａ−Ａ線に沿う断面図、（ｂ）は同ロック部の当たり初めの状態を示す図３中Ｂ−Ｂ線に沿う断面図である。
【図７】（ａ）は上記コネクタのガタ詰めリブの嵌合完了の状態を示す図２中Ａ−Ａ線に沿う断面図、（ｂ）は同ガタ詰めリブの嵌合完了の状態を示す図３中Ｂ−Ｂ線に沿う断面図である。
【図８】（ａ）は上記コネクタの端子の当たり初めの状態を示す図２中Ａ−Ａ線に沿う断面図、（ｂ）は同端子の当たり初めの状態を示す図３中Ｂ−Ｂ線に沿う断面図である。
【図９】（ａ）は上記コネクタの嵌合完了の状態を示す図２中Ａ−Ａ線に沿う断面図、（ｂ）は同嵌合完了の状態を示す図３中Ｂ−Ｂ線に沿う断面図である。
【図１０】従来の雌雄のコネクタの断面図である。
【発明を実施するための形態】
【００１１】
以下、本発明の一実施形態を図面に基づいて説明する。
【００１２】
図１は本発明の一実施形態のコネクタの分解斜視図、図２は同コネクタの嵌合前の正面図、図３は同コネクタの嵌合前の側面図、図４（ａ）は図２中Ａ−Ａ線に沿う断面図、図４（ｂ）は図３中Ｂ−Ｂ線に沿う断面図、図５（ａ）は同コネクタのガタ詰めリブの当たり初めの状態を示す図２中Ａ−Ａ線に沿う断面図、図５（ｂ）は同ガタ詰めリブの当たり初めの状態を示す図３中Ｂ−Ｂ線に沿う断面図、図６（ａ）は同コネクタのロック部の当たり初めの状態を示す図２中Ａ−Ａ線に沿う断面図、図６（ｂ）は同ロック部の当たり初めの状態を示す図３中Ｂ−Ｂ線に沿う断面図、図７（ａ）は同コネクタのガタ詰めリブの嵌合完了の状態を示す図２中Ａ−Ａ線に沿う断面図、図７（ｂ）は同ガタ詰めリブの嵌合完了の状態を示す図３中Ｂ−Ｂ線に沿う断面図、図８（ａ）は同コネクタの端子の当たり初めの状態を示す図２中Ａ−Ａ線に沿う断面図、図８（ｂ）は同端子の当たり初めの状態を示す図３中Ｂ−Ｂ線に沿う断面図、図９（ａ）は同コネクタの嵌合完了の状態を示す図２中Ａ−Ａ線に沿う断面図、図９（ｂ）は同嵌合完了の状態を示す図３中Ｂ−Ｂ線に沿う断面図である。
【００１３】
図１〜図４に示すように、コネクタ１０は、複数の雄端子（端子）２８を収容する合成樹脂製の雄ハウジング（相手方のハウジング）２１を有した雄コネクタ２０と、複数の雌端子（端子）３８を収容する合成樹脂製の雌ハウジング（ハウジング）３１を有した雌コネクタ３０から構成される機器直結コネクタである。
【００１４】
雄コネクタ２０の雄ハウジング２１は、複数の雄端子２８を取り付けた矩形板状の端子取付部２２と、この端子取付部２２より前方に延びるように一体形成された四角筒状のフード部２３とを有している。このフード部２３の上壁部２３ａの内面には、雌ハウジング３１のロック部３４と係止する鉤状の被ロック部２４を一体突出形成してある。
【００１５】
雌コネクタ３０の雌ハウジング３１は、ブロック状に形成されていて、中央より下側に複数の端子収容室３２を形成してある。この複数の端子収容室３２に収容された雌端子３８は、図４（ａ）に示すように、可撓性のランス３２ａにより一次係止されると共に、下側より装着される合成樹脂製のスペーサ３７により二次係止されるようになっている。
【００１６】
雌ハウジング３１の上面３１ａには、雄ハウジング２１のフード部２３に嵌合した際に雄ハウジング２１の被ロック部２４に係止されてその嵌合状態をロックする鉤状のロック部３４を設けた弾性変形可能なロックアーム３３を一体突出形成してある。
【００１７】
また、図１〜図３に示すように、雌ハウジング３１の両側面３１ｂ，３１ｂの中央と下側の嵌合方向の前端から離れた位置には、嵌合方向に沿って斜面部３５ａと平坦部３５ｂとを順に有した上下一対のガタ詰めリブ３５，３５を一体突出形成してある。この各上下一対のガタ詰めリブ３５，３５は、図５〜図７に示すように、雄ハウジング２１のフード部２３の両側壁部２３ｂ，２３ｂの内面との当たり初めが、斜面部３５ａ、ロック部３４、平坦部３５ｂの順となるように斜面部３５ａの位置及び相対長さが決められている。さらに、斜面部３５ａは先端が先細になって平坦部３５ｂに連なる三角面状の斜面になっており、平坦部３５ｂは直方体状になっている。
【００１８】
また、雄雌双方のハウジング２１，３１との当たり初めの挿入力の関係が、斜面部３５ａ、ロック部３４、平坦部３５ｂの順に大きくなる（斜面部３５ａ＜ロック部３４＜平坦部３５ｂ）ように設定されている。これにより、雄雌双方のハウジング２１，３１が緩やかに嵌合することができるようになっている。
【００１９】
さらに、図８（ａ），（ｂ）に示すように、雌ハウジング３１のガタ詰めリブ３５の平坦部３５ｂが雄ハウジング２１のフード部２３の両側壁部２３ｂ，２３ｂの内面に当たった後で、雄雌双方のハウジング２１，３１の各端子２８，３８同士が当たって接続されるようになっている。
【００２０】
尚、図１に示すように、雄ハウジング２１のフード部２３の上壁部２３ａの中央には、雌ハウジング３１のロックアーム３３が挿入される凹部２３ｃを形成してあると共に、上壁部２３ａの両側には、雌ハウジング３１の両側面３１ｂ，３１ｂより上方に起立した各突出部３１ｃが挿入される凹状で一対のガイド部２３ｄ，２３ｄを形成してある。さらに、雄端子２８には電線２９が接続され、雌端子３８には電線３９が接続されている。
【００２１】
以上実施形態のコネクタ１０によれば、図３および図４（ａ），（ｂ）に示すように、雄ハウジング２１のフード部２３内に雌ハウジング３１を挿入して行くと、図５（ａ），（ｂ）に示すように、雌ハウジング３１の両側面３１ｂ，３１ｂに設けられた上下各一対のガタ詰めリブ３５，３５の各斜面部３５ａが雄ハウジング２１のフード部２３の両側壁部２３ｂ，２３ｂの内面に当たり初める。
【００２２】
さらに、雄ハウジング２１のフード部２３内に雌ハウジング３１を挿入して行くと、図６（ａ），（ｂ）に示すように、雄ハウジング２１のフード部２３の被ロック部２４に雌ハウジング３１のロック部３４が当たり初める。
【００２３】
次に、図７（ａ），（ｂ）に示すように、雌ハウジング３１の両側面３１ｂ，３１ｂに設けられた上下各一対のガタ詰めリブ３５，３５の各平坦部３５ｂが雄ハウジング２１のフード部２３の両側壁部２３ｂ，２３ｂの内面に当たることにより、雌ハウジング３１のガタ詰めリブ３５の雄ハウジング２１のフード部２３への嵌合が完了する。
【００２４】
この雄ハウジング２１のフード部２３に雌ハウジング３１のガタ詰めリブ３５が嵌合する時に、まず、雌ハウジング３１のガタ詰めリブ３５の斜面部３５ａが雄ハウジング２１の雄間口としてのフード部２３に嵌合されるため、緩やかに嵌合力がかかる。このガタ詰めリブ３５の斜面部３５ａを雄ハウジング２１のフード部２３が乗り上げることで、ガタ詰め機能が完了となる。即ち、雄ハウジング２１のフード部２３に雌ハウジング３１を嵌合する際の傾きを簡単かつ確実に抑制することができる。
【００２５】
そして、雌ハウジング３１のガタ詰めリブ３５の平坦部３５ｂが雄ハウジング２１のフード部２３の両側壁部２３ｂ，２３ｂの内面に当たった後で、図８（ａ），（ｂ）に示すように、雄雌の双方のハウジング２１，３１の各端子２８，３８同士が当たり初め、さらに、雄ハウジング２１のフード部２３内に雌ハウジング３１を挿入して行くことで、図９（ａ），（ｂ）に示すように、雄雌の双方のハウジング２１，３１が嵌合して、その嵌合状態は、雄ハウジング２１の被ロック部２４に雌ハウジング３１のロック部３４が係止されることにより維持される。
【００２６】
このように、ガタ詰めリブ３５の先端に斜面部３５ａを設けることで、雄ハウジング２１のフード部２３内に雌ハウジング３１を挿入して行く際に必ず傾き規制ができ、また、フード部２３の側壁部２３ｂの内面に対する挿入力が緩やかとなり、ガタ詰め、端子挿入、ロック部係合がスムーズにできて、雌雄ハウジング２１，３１の嵌合フィーリングを向上させることができる。
【００２７】
尚、前記実施形態によれば、雌ハウジングの側面に傾きを抑制するガタ詰めリブを設けたが、雄ハウジングのフード部の側壁部の内面に傾きを抑制するガタ詰めリブを設けても良い。
【符号の説明】
【００２８】
１０  コネクタ
２１  雄ハウジング（相手方のハウジング）
２３  フード部
２４  被ロック部
２８  雄端子（端子）
３１  雌ハウジング（ハウジング）
３１ｂ，３１ｂ  両側面
３５  ガタ詰めリブ
３５ａ  斜面部
３５ｂ  平坦部
３８  雌端子（端子）
【図１】
2019139988.tif 000003
【図２】
2019139988.tif 000004
【図３】
2019139988.tif 000005
【図４】
2019139988.tif 000006
【図５】
2019139988.tif 000007
【図６】
2019139988.tif 000008
【図７】
2019139988.tif 000009
【図８】
2019139988.tif 000010
【図９】
2019139988.tif 000011
【図１０】
2019139988.tif 000012